(57)【要約】【課題】消耗品の必要以上の発注を防止して、消耗品を使い切ることができる画像形成装置の消耗品ユニット発注システムを提供する。【解決手段】トナーカートリッジ（６０）が着脱可能に装着され、トナーカートリッジを発注可能な機能を備える画像形成装置の消耗品ユニット発注システムであって、画像形成装置（１）とトナーカートリッジの発注先とをネットワークを介して接続し、画像形成装置（１）の構成として、トナーカートリッジ（６０）内のトナー残量状態を検出する検出部（５０９ａ）、消耗品ユニット在庫管理手段（５５２）、トナーカートリッジの在庫状況を画像形成装置（１）の表示部（１１）に表示させる消耗品ユニット在庫状況表示手段（５５３）を備え、トナーカートリッジ（６０）のトナー残量が所定量以下となった場合に、トナーカートリッジの在庫状況を表示部（１１）に表示させることを特徴とする。【選択図】図５
2015090384.tif 000002
【特許請求の範囲】
【請求項１】
消耗品を収容するとともに消耗品情報を記憶する記憶手段を備えた消耗品ユニットが着脱可能に装着され、前記消耗品ユニットを発注可能な機能を備える画像形成装置の消耗品ユニット発注システムであって、
前記画像形成装置と前記消耗品ユニットの発注先とはネットワークを介して通信可能に接続され、
前記画像形成装置は、
前記消耗品ユニット内の消耗品残量状態を検出する消耗品検出手段と、
前記画像形成装置に使用する消耗品ユニットの在庫状況を管理する消耗品ユニット在庫管理手段と、
前記消耗品ユニット在庫管理手段により管理された消耗品ユニットの在庫状況を前記画像形成装置の表示部に表示させる消耗品ユニット在庫状況表示手段と、
を備え、
前記消耗品ユニットの消耗品残量が所定量以下となった場合に、前記消耗品ユニット在庫状況表示手段により、前記消耗品ユニットの在庫状況を前記画像形成装置の表示部に表示させることを特徴とする画像形成装置の消耗品ユニット発注システム。
【請求項２】
前記消耗品ユニットの消耗品残量が所定量以下となった場合に、前記消耗品ユニット在庫状況表示手段により、前記消耗品ユニットの在庫状況を前記画像形成装置の表示部に表示させた後に、前記消耗品ユニットを発注する発注画面を前記画像形成装置の表示部に表示させることを特徴とする請求項１に記載の画像形成装置の消耗品ユニット発注システム。
【請求項３】
前記消耗品ユニットの消耗品残量が所定量以下となり、前記消耗品ユニットを交換する時期に、前記消耗品ユニットを発注する発注画面を前記画像形成装置の表示部に表示させることを特徴とする請求項１に記載の画像形成装置の消耗品ユニット発注システム。
【発明の詳細な説明】
【技術分野】
【０００１】
本発明は、画像形成装置の消耗品ユニット発注システムに係り、特に、消耗品を収納する消耗品ユニットが着脱可能に装着され、消耗品ユニットを発注可能な機能を備える画像形成装置の消耗品ユニット発注システムに関する。
【背景技術】
【０００２】
近年、複写機、ファクシミリ、プリンタ等の画像形成装置において、トナーが収納された消耗品ユニットが着脱可能に装着されて、消耗品ユニットから現像装置にトナーを供給するようになっている。そして、トナーが無くなったら消耗品ユニットを交換することで再びトナー供給が可能となる。
【０００３】
このように構成された画像形成装置において、近年、使用する消耗品（例えば、トナーカートリッジ）をネットワーク回線を通じて発注することを可能にした画像形成装置が知られている。
【０００４】
従来技術として、例えば、画像形成装置において、定着器ユニットが所定量使用されたことが画像形成装置によって認識されると発注処理が起動され、消耗品在庫数の表示とともに、一つの消耗品の使用中においては一度だけ発注システムを起動させるようにしたものが開示されている（特許文献１を参照）。
【０００５】
特許文献１の技術によれば、画像処理装置において、発注に関連したタイミングをトリガーに画像形成に関連したデータを累積し、累積された値に基づいて、発注手段によって表示される画面を介して消耗品の発注が行われるので、そのタイミングが適切であるかどうかを判断でき、消耗品の重複発注を防止することができる。
【０００６】
このように、消耗品であるトナー残量が少なくなったことを画像形成装置本体が認識したときに、ネットワーク回線を通して受注側に自動発注することで、早めに、ユーザが次のカートリッジを発注する（受注側のホームページにアクセスし、消耗品を発注する）方法によれば、最寄りの消耗品販売店に出かけることもなく、また買い忘れることもなくなり、ユーザビリティの面で非常に有益である。
【先行技術文献】
【特許文献】
【０００７】
【特許文献１】特開２００４−５４１１２号公報
【発明の概要】
【発明が解決しようとする課題】
【０００８】
しかしながら、特許文献１の方法では、画像形成装置において、例えば、消耗品ユニット（例えばトナーカートリッジ）を交換する際に、トナー残量が少ない状態（ニア・ニアエンドもしくはニアエンド）が通知された時点で、直ちに消耗品ユニットを交換するとともに、ネットワーク回線を通じて消耗品の発注を行わせるＵＩ（ユーザインターフェース）画面を起動させて消耗品ユニットを発注してしまうと、今まで使用していた消耗品ユニットのトナーを最後まで使い切らずにトナーが残った状態で途中で交換されてしまうという問題があった。
【０００９】
本発明は、上記従来の問題点に鑑みてなされたものであって、消耗品の必要以上の発注を防止して、消耗品を使い切ることができる画像形成装置の消耗品ユニット発注システムを提供することを目的とする。
【課題を解決するための手段】
【００１０】
上述した課題を解決するための本発明に係る画像形成装置の消耗品ユニット発注システムは、次の通りである。
【００１１】
本発明は、消耗品（トナー）を収容するとともに消耗品情報（トナー情報）を記憶する記憶手段を備えた消耗品ユニット（トナーカートリッジ）が着脱可能に装着され、前記消耗品ユニットを発注可能な機能を備える画像形成装置の消耗品ユニット発注システムであって、前記画像形成装置と前記消耗品ユニットの発注先とはネットワークを介して通信可能に接続され、前記画像形成装置の構成として、前記消耗品ユニット内の消耗品残量状態を検出する消耗品検出手段と、前記画像形成装置に使用する消耗品ユニットの在庫状況を管理する消耗品ユニット在庫管理手段と、前記消耗品ユニット在庫管理手段により管理された消耗品ユニットの在庫状況を前記画像形成装置の表示部に表示させる消耗品ユニット在庫状況表示手段と、を備え、前記消耗品ユニットの消耗品残量が所定量以下（ニアエンドまたはニア・ニアエンド）となった場合に、前記消耗品ユニット在庫状況表示手段により、前記消耗品ユニットの在庫状況を前記画像形成装置の表示部に表示させることを特徴とするものである。
【００１２】
また、本発明は、前記消耗品ユニットの消耗品残量が所定量以下（ニアエンド）となった場合に、前記消耗品ユニット在庫状況表示手段により、前記消耗品ユニットの在庫状況を前記画像形成装置の表示部に表示させた後に、前記消耗品ユニットを発注する発注画面を前記画像形成装置の表示部に表示させることが好ましい。
【００１３】
また、本発明は、前記消耗品ユニットの消耗品残量が所定量以下（トナーエンド）となり、前記消耗品ユニットを交換する時期に、前記消耗品ユニットを発注する発注画面を前記画像形成装置の表示部に表示させることが好ましい。
【発明の効果】
【００１４】
本発明の画像形成装置の消耗品ユニット発注システムによれば、消耗品（トナー）を収容するとともに消耗品情報（トナー情報）を記憶する記憶手段を備えた消耗品ユニット（トナーカートリッジ）が着脱可能に装着され、前記消耗品ユニットを発注可能な機能を備える画像形成装置の消耗品ユニット発注システムであって、前記画像形成装置と前記消耗品ユニットの発注先とはネットワークを介して通信可能に接続され、前記画像形成装置の構成として、前記消耗品ユニット内の消耗品残量状態を検出する消耗品検出手段と、前記画像形成装置に使用する消耗品ユニットの在庫状況を管理する消耗品ユニット在庫管理手段と、前記消耗品ユニット在庫管理手段により管理された消耗品ユニットの在庫状況を前記画像形成装置の表示部に表示させる消耗品ユニット在庫状況表示手段と、を備え、前記消耗品ユニットの消耗品残量が所定量以下（ニアエンドまたはニア・ニアエンド）となった場合に、前記消耗品ユニット在庫状況表示手段により、前記消耗品ユニットの在庫状況を前記画像形成装置の表示部に表示させることで、現在の消耗品ユニットの在庫状況を確認して、消耗品の必要以上の発注、もしくは早すぎる発注を防止して、消耗品を使い切ることができる。
【図面の簡単な説明】
【００１５】
【図１】本発明の第１実施形態に係る画像形成装置の消耗品ユニット発注システムを構成する画像形成装置の全体の構成を示す説明図である。
【図２】前記画像形成装置の操作パネルの構成を示す説明図である。
【図３】（ａ）は前記画像形成装置に搭載されるトナーカートリッジの構成を示す説明図、（ｂ）は（ａ）のＡ矢視図である。
【図４】前記画像形成装置の構成を示すブロック図である。
【図５】前記画像形成装置の制御部の構成を示すブロック図である。
【図６】前記画像形成装置の消耗品ユニット発注システムを構成する通信ネットワークの一例を示す説明図である。
【図７】前記画像形成装置の消耗品ユニット発注システムにより新しいトナーカートリッジを発注する手順を示すフローチャートである。
【図８】前記画像形成装置の表示部に表示されるトナーカートリッジの準備を促すメッセージの一例を示す説明図である。
【図９】前記画像形成装置に使用されるトナーカートリッジの在庫状態を示す表示画面の一例を示す説明図である。
【図１０】前記画像形成装置に使用されるトナーカートリッジの在庫状態と前記トナーカートリッジの発注を促すメッセージを含む表示画面の一例を示す説明図である。
【図１１】前記トナーカートリッジの発注内容確認を示す発注画面の一例を示す説明図である。
【図１２】本発明の第２実施形態の画像形成装置の消耗品ユニット発注システムにより新しいトナーカートリッジを発注する手順を示すフローチャートである。
【図１３】前記画像形成装置の表示部に表示されるトナーカートリッジの交換を促すメッセージの一例を示す説明図である。
【図１４】本発明の第３実施形態の画像形成装置の消耗品ユニット発注システムにより新しいトナーカートリッジを発注する手順を示すフローチャートである。
【図１５】前記画像形成装置の表示部に表示されるトナーカートリッジの交換を促すメッセージの一例を示す説明図である。
【図１６】前記画像形成装置の表示部に表示されるトナーカートリッジの交換を促すメッセージのその他の例を示す説明図である。
【発明を実施するための形態】
【００１６】
（第１実施形態）
以下、本発明を実施するための形態について図面を参照して説明する。
図１は発明を実施する形態の一例であって、本発明の第１実施形態に係る画像形成装置の消耗品ユニット発注システムを構成する画像形成装置の全体の構成を示す説明図、図２は前記画像形成装置の操作パネルの構成を示す説明図である。
【００１７】
第１実施形態は、図１に示すように、消耗品であるトナーを収容するとともに消耗品情報を記憶する記憶手段を備えたトナーカートリッジ（消耗品ユニット）６０が着脱可能に装着され、トナーカートリッジを発注可能な機能を備える画像形成装置１の消耗品ユニット発注システムとして、本発明に係る特徴的な画像形成装置の消耗品ユニット発注システムの構成を採用したものである。
【００１８】
まず、画像形成装置１の全体構成について説明する。
画像形成装置１は、外部から伝達される画像データに応じて所定のシート（記録用紙，記録媒体）に画像を形成するものである。画像形成装置１は、図１に示すように、主に、本体装置である電子写真プロセス部（図示省略）を備えた画像形成部３と、操作パネル１０とスキャナユニット（図示省略）を備えた画像読取部２とを備えて構成されている。
【００１９】
原稿画像をスキャナユニットで読み取ることにより得られた画像データは、各種処理が施された後、メモリに一旦記憶され、出力指示に応じてメモリから画像データを画像形成部３に出力して、感光体ドラム（図示省略）上に可視画像として再現した後、用紙上に画像を転写してトナー像を形成する。
【００２０】
画像形成部３に隣接して用紙を供給する給紙部４が構成されている。
給紙部４は、第１〜３カセット３１，３２，３３、さらにオプションとして大容量カセット３４を有している。大容量カセット３４は、最も使用頻度の高い、例えばＡ４サイズの標準紙を大量に収容することができる。
【００２１】
画像読取部２と画像形成部３の間には排紙トレイ５１が形成されている。
画像形成部３に隣接して後処理装置５が構成されている。
後処理装置５には、第１排紙卜レイ５２，第２排紙トレイ５３が設けられている。
【００２２】
操作パネル１０は、図２に示すように、操作面（入力部）１０ａが設けられ、その略中央部に表示部１１が構成されている。
【００２３】
なお、表示部１１は、操作面（入力部）１０ａと同一平面でなくとも、操作面（入力部）１０ａに対して開閉移動式であってもよいし、操作面（入力部）１０ａとは別に設けてもよい。また、それらを組み合わせてもよい。
【００２４】
そして、画像形成装置１は、図示しないネットワーク回線（ＬＡＮ、電話回線等）を介してＰＣ、ＦＡＸ、及びメーカー、販売先またはリース先等のデータ管理サーバに接続されている。
【００２５】
次に、第１実施形態の画像形成装置１に搭載される消耗品ユニットであるトナーカートリッジ６０について説明する。
図３（ａ）は第１実施形態の画像形成装置に搭載されるトナーカートリッジの構成を示す説明図、（ｂ）は（ａ）のＡ矢視図である。
【００２６】
画像形成装置１に使用されるトナーカートリッジ６０は、図１に示すように、画像形成部３内に着脱可能に装着されている。トナーカートリッジ６０を着脱する場合は、外カバー３ａを開放して行う。
【００２７】
トナーカートリッジ６０は、図３（ａ），（ｂ）に示すように、柱状体で構成され、補給トナーが収容されているトナー収容部６２を備えている。
【００２８】
トナー収容部６２の底部（図中下側）にトナー補給口６３が設けられている。
トナーカートリッジ６０の画像形成装置１本体に向けて装着される一端部６０ａには、消耗品情報が記憶された記憶部（記憶手段）６１が設けられている。
【００２９】
記憶部６１は、ＩＣチップ（例えば、無線ＩＣタグ、接触型ＣＲＵＭなどの不揮発性メモリ）、バーコード、ＱＲコード（登録商標）等の２次元コードの何れかを用いて構成されている。本実施形態では、記憶部６１には、トナーカートリッジ６０に関する情報を格納するＥＥＰＲＯＭ等を内蔵したデバイス等で構成される不揮発性メモリの接触型ＣＲＵＭが備えられ、このメモリにはトナーカートリッジの型番、製造箇所、トナー残量（逐次更新される）、新品か否か、装着された装置のシリアルナンバーなどの情報が記憶されている。
【００３０】
記憶部６１には、記憶部位置決めボス６４が設けられている。この記憶部位置決めボス６４は、トナーカートリッジ６０を画像形成装置１に装着する際に、記憶部６１を画像形成装置１本体側の記憶部用コネクタ（図示省略）に対して位置決めするための位置決め部材である。図中の符号６５は接続端子、６６は記憶部６１をトナーカートリッジ６０に取付けるための取付け穴を示す。
【００３１】
次に、画像形成装置１の特徴的な構成についてブロック図を参照して説明する。
図４は第１実施形態の画像形成装置の構成を示すブロック図、図５は前記画像形成装置の制御部の構成を示すブロック図である。
【００３２】
画像形成装置１は、図４に示すように、電気的構成として、画像形成装置１の動作を制御する制御部５０１、記憶部５０２、演算部５０３、表示部１１、入力部５０５、ネットワーク回線を介してＰＣ等とＬＡＮ接続等を行う通信部５０６、画像処理を行う画像処理部５０８、画像形成を行う画像形成部５０９、トナー像の定着処理を行う定着部５１０、スキャナにおいて画像の読み取りを行う読取部５０７、後処理装置５（図４の周辺機器を指す）の動作を制御する制御部５１１などを備えている。
【００３３】
第１実施形態では、画像形成装置１に用いられるトナーカートリッジ６０には、記憶部６１が備えられている。そして、画像形成装置１は、このトナーカートリッジ６０の記憶部６１に格納された情報を検出する検出部（消耗品検出手段）５０９ａを備えている。
【００３４】
検出部５０９ａは、ユーザが画像形成装置１で使用している消耗品の情報を検出する。
演算部５０３は、消耗品の使用状態に応じて印刷枚数を算出する機能（印刷枚数算出手段）を備えている。
【００３５】
制御部５０１は、図５に示すように、検出部５０９ａにより検出された検出結果（消耗品情報）に加えて、演算部５０３により算出された算出結果（消耗品による印刷枚数）をデータ管理サーバ７０１に通知する消耗品情報通知手段５５１とを備えるとともに、さらに、消耗品ユニット在庫管理手段５５２と、消耗品ユニット在庫状況表示手段５５３とを備えている。
【００３６】
消耗品ユニット在庫管理手段５５２は、画像形成装置１に使用するトナーカートリッジの在庫状況を管理する。
【００３７】
消耗品ユニット在庫状況表示手段５５３は、消耗品ユニット在庫管理手段５５２により管理されたトナーカートリッジの在庫状況を画像形成装置１の表示部１１に表示させる。
【００３８】
第１実施形態では、消耗品ユニット発注システムは、使用中の画像形成装置１のトナーカートリッジ６０のトナー残量が所定量以下、例えばニアエンド状態に近づいたニア・ニアエンド状態となった場合に、消耗品ユニット在庫状況表示手段５５３により、画像形成装置１に使用するトナーカートリッジの在庫状況を画像形成装置１の表示部１１に表示することを特徴としている。
【００３９】
次に、第１実施形態の画像形成装置の消耗品ユニット発注システムの特徴的な構成について図面を参照して説明する。
図６は第１実施形態の画像形成装置の消耗品ユニット発注システムを構成する通信ネットワークの一例を示す説明図である。
【００４０】
本実施形態に係る画像形成装置の消耗品ユニット発注システムは、図６に示すように、画像形成装置１に用いられるトナーカートリッジ６０の使用状況からトナーカートリッジ６０の取得を促す消耗品ユニット発注システムであって、通信部５０６によりＬＡＮ（ローカルエリアネットワーク）７００を介して画像形成装置１とメーカー、販売先またはリース先等のデータ管理サーバ７０１に接続されて、データ管理サーバ７０１を管理する事業者からユーザに対して消耗品が無くなる前に消耗品の取得（購入）する旨を通知するようにされている。
【００４１】
この消耗品ユニット発注システムは、画像形成装置１と消耗品の販売先のデータ管理サーバ７０１とが通信接続としてＬＡＮ（ローカルエリアネットワーク（通信手段））７００を介して接続されて、販売先により画像形成装置１の消耗品の使用状況が監視可能に構成されるとともに、データ管理サーバ７０１と消耗品販売会社とがＬＡＮ７００を介して接続されている。
【００４２】
また、消耗品ユニット発注システムは、画像形成装置１側に、画像形成装置１に用いられるトナーカートリッジ６０に備えられた記憶部６１記憶手段または記録手段に格納されている情報を検出する機能（検出手段）と、その検出結果（消耗品の情報）をデータ管理サーバ７０１に通知する機能（消耗品情報通知手段）と、消耗品による印刷枚数を算出する機能（印刷枚数算出手段）を備え、データ管理サーバ７０１側に、算出された消耗品による印刷枚数が消耗品のメーカー保証の印刷枚数（印刷保証枚数）に近づいたか否かを判断する機能（消耗品使用状況判定手段）と、算出された消耗品による印刷枚数が消耗品のメーカー保証の印刷枚数に近づいたと判断された場合に、画像形成装置１のユーザ情報とメーカー保証の印刷枚数に近づいたという消耗品使用情報とを画像形成装置の設置場所から最寄りの消耗品販売会社へ通知するとともに、消耗品の購入時期が近づいたという消耗品購入情報と消耗品の注文先情報とを画像形成装置１へ通知する機能（情報通知手段）を備えている。
【００４３】
第１実施形態では、画像形成装置１は、画像形成装置１に用いられる消耗品に備えられた記憶手段または記録手段に格納されている情報を検出する検出部５０９ａと、消耗品による印刷枚数を算出する演算部５０３とを備えるとともに、制御部５０１が、検出部５０９ａにより検出された消耗品の情報や演算部５０３により算出された算出結果をデータ管理サーバ７０１に通知する消耗品情報通知手段として機能するように構成されている。
【００４４】
また、データ管理サーバ７０１が、画像形成装置１に用いられる消耗品の情報を格納する消耗品情報記憶手段として機能し、演算部５０３により算出された消耗品による印刷枚数が消耗品のメーカー保証の印刷枚数（印刷保証枚数）に近づいたか否かを判断する消耗品使用状況判定手段として機能するとともに、消耗品による印刷枚数が消耗品のメーカー保証の印刷枚数に近づいたと判断された場合に、画像形成装置１のユーザ情報とメーカー保証の印刷枚数に近づいたという消耗品使用情報とを画像形成装置の設置場所から最寄りの消耗品販売会社へ通知するとともに、消耗品の購入時期が近づいたという消耗品購入情報と消耗品の注文先情報とを画像形成装置１へ通知する情報通知手段として機能するように構成されている。
【００４５】
なお、第１実施形態では、データ管理サーバ７０１により、トナーカートリッジ６０の使用状況を管理するようにされているが、画像形成装置１側にトナーカートリッジ６０の使用状況を管理する機能を備えるようにしてもよい。
【００４６】
次に、第１実施形態の画像形成装置の消耗品ユニット発注システムを構成する画像形成装置１とデータ管理サーバ７０１との接続について説明する。
【００４７】
第１実施形態において、画像形成装置１の全体制御は、図４に示すように、制御部５０１により行なわれる。
【００４８】
第１実施形態では、画像形成装置１とデータ管理サーバ７０１とが通信手段を介して接続されている。例えば、図６に示すように、画像形成装置１は、通信部５０６によりＬＡＮ（ローカルエリアネットワーク）７００を介してその他の画像形成装置や消耗品の販売店やリース会社などのデータ管理サーバ７０１に接続されたり、通信衛星７１１を利用した衛星通信インフラ７１０を介して通信接続することが可能である。
【００４９】
ＬＡＮ（ローカルエリアネットワーク）７００としては、有線の場合は、イーサネット（登録商標）IEEE規格の１０ＢＡＳＥ−Ｔ、１００ＢＡＳＥ−ＴＸ、１０ＧＢＡＳＥ−Ｔ等や、それらの光マルチモードの１０ＢＡＳＥ−Ｆ、１００ＢＡＳＥ−Ｆ、１０００ＢＡＳＥ−Ｘ、１０ＧＢＡＳＥ−Ｒ、１０ＧＢＡＳＥ−Ｗ、１０ＧＢＡＳＥ−Ｘ、無線の場合は、ＷｉＭＡＸのIEEE 802.16（ブロードバンド無線規格）、IEEE 802.16a（固定無線通信の標準規格、IEEE 802.16規格の使用周波数帯を変更したもの）、IEEE 802.16-2004（固定区間に用いられる方式、別名IEEE 802.16a/REVd）、ＷＡＮ、そして、クラウドコンピューティングサービス（専用事業者：クラウドプロバイダー）も利用できる。
【００５０】
なお、画像形成装置１とデータ管理サーバ７０１との通信接続の方式は、特に限定されず、例えば、インターネット、イントラネット、エキストラネット、ＩＳＤＮ、ＶＡＮ、ＣＡＴＶ通信網、仮想専用網（virtual private network）、電話回線網、移動体通信網等が利用可能である。
また、通信ネットワークを構成する伝送媒体としては、特に限定されず、例えば、IEEE 1394、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、802.11無線、およびＨＤＲ、携帯電話網、衛星回線、地上波デジタル網等の無線でも利用可能である。
【００５１】
次に、画像形成装置の消耗品ユニット発注システムにより、トナーカートリッジ６０のトナー残量が少なくなった時に、トナーカートリッジ６０を発注する手順をフローチャートに沿って説明する。
図７は本発明の第１実施形態の画像形成装置の消耗品ユニット発注システムにより新しいトナーカートリッジを発注する手順を示すフローチャート、図８は前記画像形成装置の表示部に表示されるトナーカートリッジの準備を促すメッセージの一例を示す説明図、図９は前記画像形成装置に使用されるトナーカートリッジの在庫状態を示す表示画面の一例を示す説明図、図１０は前記画像形成装置に使用されるトナーカートリッジの在庫状態と前記トナーカートリッジの発注を促すメッセージを含む表示画面の一例を示す説明図、図１１は前記トナーカートリッジの発注内容確認を示す発注画面の一例を示す説明図である。
【００５２】
図７に示すように、画像形成装置１の電源をＯＮにして画像形成装置の消耗品ユニット発注システムにより画像形成装置１に使用するトナーカートリッジを取得する制御が開始されると、まず、使用中のトナーカートリッジ６０のトナー残量情報に基づき、トナー残量がニア・ニアエンド状態になったか否かが判断される（ステップＳ１０１）。
【００５３】
ステップＳ１０１において、トナーカートリッジ６０のトナー残量がニア・ニアエンド状態になったと判断された場合は、図８に示すように、操作パネル１０の表示部１１にトナーカートリッジの準備を促す「トナーの準備時期です。」というメッセージと、ＯＫキー１１１ａと消耗品（トナーカートリッジ）の在庫を確認する操作キー１１１ｂを含むメッセージ画面１１１が表示される（ステップＳ１０２）。画面中のＯＫキー１１１ａをタッチするとメッセージ画面１１１は消える。
【００５４】
そして、ステップＳ１０３に進み、ネットワークを介して画像形成装置１がトナーカートリッジの発注先のＰＣに接続されているか否かが判断される。
【００５５】
ステップＳ１０３において、画像形成装置１がトナーカートリッジの発注先のＰＣに接続されていると判断された場合は、ステップＳ１０４に進む。
【００５６】
ステップＳ１０４では、画像形成装置１に使用するトナーカートリッジの在庫数が充分であるか否かが判断される。トナーカートリッジの在庫数が充分であるか否かの判断は、予め設定された在庫数（閾値）に到達したか否かで判断するようにしてもよい。
【００５７】
ステップＳ１０４において、トナーカートリッジの在庫数が充分であると判断された場合は、図９に示すように、操作パネル１０の表示部１１にトナーカートリッジの販売店コードやトナー種などの商品情報と、在庫数を含むメッセージ画面１１２が表示される（ステップＳ１０５）。画面中のＯＫキー１１２ａをタッチするとメッセージ画面１１２は消える。そして、トナーカートリッジを発注する処理工程は終了する。
【００５８】
一方、ステップＳ１０４において、トナーカートリッジの在庫数が充分ではないと判断された場合は、図１０に示すように、操作パネル１０の表示部１１にトナーカートリッジの販売店コードやトナー種などの商品情報と、在庫数と、トナーカートリッジを発注することを推奨するメッセージを含むメッセージ画面１１３が表示される（ステップＳ１０６）。
【００５９】
メッセージ画面１１３中のキャンセルキー１１３ａをタッチするとメッセージ画面１１３は消え、発注操作キー１１３ｂをタッチするとトナーカートリッジを発注する発注画面へ移行する（ステップＳ１０７）。そして、ステップＳ１０８に進み、トナーカートリッジを発注するか否かが判断される。
【００６０】
ステップＳ１０８において、トナーカートリッジを発注すると判断された場合は、図１１に示すように、操作パネル１０の表示部１１にトナーカートリッジの販売店コードやトナー種などの商品情報と、発注数量とを含む発注内容を確認する発注内容確認画面１１４が表示される（ステップＳ１０９）。
【００６１】
発注内容確認画面１１４中のキャンセルキー１１４ａをタッチすると発注内容確認画面１１４は消えて発注はキャンセルされる。発注操作キー１１４ｂをタッチすると表示された内容でトナーカートリッジの発注先にトナーカートリッジを発注する。そして、トナーカートリッジの発注処理は終了する。
【００６２】
一方、ステップＳ１０８において、トナーカートリッジを発注しないと判断された場合は、そのまま、トナーカートリッジの発注処理が終了する。
【００６３】
以上のように構成したので、第１実施形態によれば、画像形成装置の消耗品ユニット発注システムにおいて、画像形成装置１と消耗品ユニット（トナーカートリッジ）の発注先とをネットワークを介して通信可能に接続して、画像形成装置１の構成として、トナーカートリッジ６０内のトナー残量状態を検出する検出部５０９ａと、画像形成装置１に使用するトナーカートリッジの在庫状況を管理する消耗品ユニット在庫管理手段５５２と、消耗品ユニット在庫状況表示手段５５３とを備え、トナーカートリッジ６０のトナー残量が所定量以下（ニア・ニアエンド）となった場合に、消耗品ユニット在庫状況表示手段５５３により、トナーカートリッジの在庫状況を画像形成装置１の表示部１１に表示させることで、画像形成装置１に使用可能なトナーカートリッジの在庫状況を確認して、トナーカートリッジの必要以上の発注、もしくは早すぎる発注を防止するとともに、使用中のトナーカートリッジ６０内に残ったトナーを使い切ることができる。
【００６４】
また、第１実施形態によれば、トナーカートリッジ６０のトナー残量が所定量以下となった場合に、消耗品ユニット在庫状況表示手段５５３により、トナーカートリッジの在庫状況を画像形成装置１の表示部１１に表示させた後に、トナーカートリッジを発注する発注画面を画像形成装置１の表示部１１に表示させるようにしたので、重複発注することなく適切な発注を行うことができる。
【００６５】
なお、上述した実施形態では、本発明に係る画像形成装置の消耗品ユニット発注システムの構成を図１に示すような操作パネル１０を有する画像形成装置１に適用した例について説明したが、再生消耗品に関するメッセージを表示可能な表示部を備える装置であれば、上述したような構成の画像形成装置や複写機に限定されるものではなく、インクジェット記録装置、または、その他の装置、例えば家電製品、民生用機器（映像・音響・通信などに関連した電子機器や装置、または端末において、一般消費者による使用・一般家庭での使用を目的としているもの、または、そのことを前提に開発・設計された製品・規格を指す）、および業務用機器（法人(企業や学校、官公庁)など、一般家庭以外の用途を前提として開発された製品）等に展開が可能である。
【００６６】
（第２実施形態）
次に、本発明の第２実施形態について説明する。
第２実施形態は、第１実施形態の画像形成装置１におけるトナーカートリッジ６０のトナー残量が少なくなった時の設定をニア・ニアエンド状態とする設定に加えて、さらにトナー残量が少なくなったときの設定をニアエンド状態とする設定として、トナーカートリッジ６０のトナー残量が少なくなった時にトナーカートリッジの発注を行うものである。
【００６７】
以下に、第２実施形態の画像形成装置の消耗品ユニット発注システムにより、トナーカートリッジ６０のトナー残量が少なくなった時に、トナーカートリッジ６０を発注する手順をフローチャートに沿って説明する。
【００６８】
図１２は本発明の第２実施形態の画像形成装置の消耗品ユニット発注システムにより新しいトナーカートリッジを発注する手順を示すフローチャート、図１３は前記画像形成装置の表示部に表示されるトナーカートリッジの交換を促すメッセージの一例を示す説明図である。
【００６９】
図１２に示すように、画像形成装置１の電源をＯＮにして画像形成装置の消耗品ユニット発注システムにより画像形成装置１に使用するトナーカートリッジを取得する制御が開始されると、まず、使用中のトナーカートリッジ６０のトナー残量情報に基づき、トナーカートリッジ６０のトナー残量状態が検出される。
【００７０】
画像形成装置１において、トナーカートリッジ６０のトナー残量がニア・ニアエンド状態になった場合は、トナーカートリッジの発注は、第１実施形態と同様に行われる。
【００７１】
そして、引き続きトナーカートリッジ６０のトナー残量状態が検出されて、トナー残量がニアエンド状態になったか否かが判断される（ステップＳ２０１）。
【００７２】
ステップＳ２０１において、トナーカートリッジ６０のトナー残量がニアエンド状態になったと判断された場合は、ステップＳ２０２に進み、図１３に示すように、操作パネル１０の表示部１１にトナーカートリッジの交換を促す「トナーの交換時期です。」というメッセージと、ＯＫキー１１５ａを含むメッセージ画面１１５が表示される（ステップＳ２１２）。画面中のＯＫキー１１５ａをタッチするとメッセージ画面１１５は消える。
【００７３】
そして、ステップＳ２０３に進み、トナーカートリッジ６０のトナー残量がニア・ニアエンド状態の時にすでにトナーカートリッジが発注されているか否かが判断される。
【００７４】
ステップＳ２０３において、すでにトナーカートリッジが発注されていると判断された場合は、そのままトナーカートリッジの発注処理は終了する。
【００７５】
一方、ステップ２０３において、トナーカートリッジが発注されていないと判断された場合は、ステップＳ２０４に進み、トナーカートリッジを発注する発注画面が表示される。
【００７６】
そして、ステップＳ２０５に進み、ネットワークを介して画像形成装置１がトナーカートリッジの発注先のＰＣに接続されているか否かが判断される。
【００７７】
ステップＳ２０５において、画像形成装置１がトナーカートリッジの発注先のＰＣに接続されていると判断された場合は、ステップＳ２０６に進む。ステップ２０６では、トナーカートリッジ発注のためのＷＥＢページに接続される。
【００７８】
そして、ステップＳ２０７に進み、トナーカートリッジを発注するか否かが判断される。ステップＳ２０７において、トナーカートリッジを発注すると判断された場合は、図１１に示すように、操作パネル１０の表示部１１にトナーカートリッジの販売店コードやトナー種などの商品情報と、発注数量とを含む発注内容を確認する発注内容確認画面１１４が表示される（ステップＳ２０８）。
【００７９】
発注内容確認画面１１４中のキャンセルキー１１４ａをタッチすると発注内容確認画面１１４は消えて発注はキャンセルされる。発注操作キー１１４ｂをタッチすると表示された内容でトナーカートリッジの発注先にトナーカートリッジを発注する。そして、トナーカートリッジの発注処理は終了する。
【００８０】
一方、ステップＳ２０７において、トナーカートリッジを発注しないと判断された場合は、そのまま、トナーカートリッジの発注処理が終了する。
【００８１】
以上のように構成したので、第２実施形態によれば、トナーカートリッジの発注工程において、トナーカートリッジ６０のトナー残量がニアエンド状態になったときに、ユーザに対してトナーカートリッジの交換を促す際に、トナーカートリッジ６０のトナー残量が前のニア・ニアエンド状態の時にトナーカートリッジの発注を行ったか否かを確認するようにしているので、トナーカートリッジの在庫不足や重複発注を防止することができる。
【００８２】
（第３実施形態）
次に、本発明の第３実施形態について説明する。
第３実施形態は、画像形成装置１におけるトナーカートリッジ６０のトナー残量が少なくなった時の設定をニア・ニアエンド状態とする設定と、さらにトナー残量が少なくなったときの設定をニアエンド状態とする設定に加えて、トナーが無くなったときの設定をトナーエンド状態とする設定として、トナー残量が少なくなったトナーカートリッジの発注を行うものである。
【００８３】
以下に、第３実施形態の画像形成装置の消耗品ユニット発注システムにより、トナーカートリッジ６０のトナー残量が少なくなった時に、トナーカートリッジ６０を発注する手順をフローチャートに沿って説明する。
【００８４】
図１４は本発明の第３実施形態の画像形成装置の消耗品ユニット発注システムにより新しいトナーカートリッジを発注する手順を示すフローチャート、図１５は前記画像形成装置の表示部に表示されるトナーカートリッジの交換を促すメッセージの一例を示す説明図、図１６は前記画像形成装置の表示部に表示されるトナーカートリッジの交換を促すメッセージのその他の例を示す説明図である。
【００８５】
図１４に示すように、画像形成装置１の電源をＯＮにして画像形成装置の消耗品ユニット発注システムにより画像形成装置１に使用するトナーカートリッジを取得する制御が開始されると、まず、使用中のトナーカートリッジ６０のトナー残量情報に基づき、トナーカートリッジ６０のトナー残量状態が検出される。
【００８６】
画像形成装置１において、トナーカートリッジ６０のトナー残量がニア・ニアエンド状態になった場合は、トナーカートリッジの発注は、第１実施形態と同様に行われる。
【００８７】
そして、トナーカートリッジ６０のトナー残量がニアエンド状態になった場合は、トナーカートリッジの発注は、第２実施形態と同様に行われる。
【００８８】
そして、引き続きトナーカートリッジ６０のトナー残量状態が検出されて、トナー残量がトナーエンド状態になったか否かが判断される（ステップＳ３０１）。
【００８９】
ステップＳ３０１において、トナーカートリッジ６０のトナー残量がトナーエンド状態になったと判断された場合は、ステップＳ３０２に進み、トナーカートリッジ６０のトナー残量がニア・ニアエンド状態の時、またはニアエンド状態の時にすでにトナーカートリッジが発注されているか否かが判断される。
【００９０】
ステップＳ３０２において、すでにトナーカートリッジが発注されていると判断された場合は、ステップＳ３０３に進み、図１５に示すように、操作パネル１０の表示部１１にトナーカートリッジの交換を促す「トナーカートリッジを交換して下さい。」というメッセージと、ＯＫキー１１５ａを含むメッセージ画面１１５が表示される。画面中のＯＫキー１１５ａをタッチするとメッセージ画面１１５は消える。そして、トナーカートリッジの発注処理は終了する。
【００９１】
一方、ステップ３０３において、トナーカートリッジが発注されていないと判断された場合は、ステップＳ３０４に進み、図１６に示すように、操作パネル１０の表示部１１にトナーカートリッジの交換を促す「トナーカートリッジを交換して下さい。」というメッセージと、発注操作キー１１６ｂを含むメッセージ画面１１６が表示される。
【００９２】
発注操作キー１１６ｂをタッチするとメッセージ画面１１６は消えて、トナーカートリッジを発注する発注画面が表示される（ステップ３０５）。
【００９３】
そして、ステップＳ３０６に進み、ネットワークを介して画像形成装置１がトナーカートリッジの発注先のＰＣに接続されているか否かが判断される。
【００９４】
ステップＳ３０６において、画像形成装置１がトナーカートリッジの発注先のＰＣに接続されていると判断された場合は、ステップＳ３０７に進む。ステップ３０７では、トナーカートリッジ発注のためのＷＥＢページに接続される。
【００９５】
そして、ステップＳ３０８に進み、トナーカートリッジを発注するか否かが判断される。ステップＳ３０８において、トナーカートリッジを発注すると判断された場合は、図１１に示すように、操作パネル１０の表示部１１にトナーカートリッジの販売店コードやトナー種などの商品情報と、発注数量とを含む発注内容を確認する発注内容確認画面１１４が表示される（ステップＳ３０９）。
【００９６】
発注内容確認画面１１４中のキャンセルキー１１４ａをタッチすると発注内容確認画面１１４は消えて発注はキャンセルされる。発注操作キー１１４ｂをタッチすると表示された内容でトナーカートリッジの発注先にトナーカートリッジを発注する。そして、トナーカートリッジの発注処理は終了する。
【００９７】
一方、ステップＳ３０８において、トナーカートリッジを発注しないと判断された場合は、そのまま、トナーカートリッジの発注処理が終了する。
【００９８】
以上のように構成したので、第３実施形態によれば、トナーカートリッジの発注工程において、トナーカートリッジ６０のトナー残量がトナーエンド状態になったときに、ユーザに対してトナーカートリッジの交換を促す際に、トナーカートリッジ６０のトナー残量が前のニア・ニアエンド状態の時、またはニアエンド状態の時にトナーカートリッジの発注を行ったか否かを確認するようにしているので、トナーカートリッジの在庫不足や重複発注を防止することができる。
【００９９】
以上のように、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【０１００】
１  画像形成装置
１０  操作パネル
１１  表示部
６０  トナーカートリッジ（消耗品ユニット）
６１  記憶部（記憶手段）
１１１，１１２，１１３，１１５，１１６  メッセージ画面
１１４  発注内容確認画面
５０１  制御部
５０６  通信部
５０９ａ  検出部（消耗品検出手段）
５５１  消耗品情報通知手段
５５２  消耗品ユニット在庫管理手段
５５３  消耗品ユニット在庫状況表示手段
７００  ＬＡＮ（ローカルエリアネットワーク）
７０１  データ管理サーバ
【図１】
2015090384.tif 000003
【図２】
2015090384.tif 000004
【図３】
2015090384.tif 000005
【図４】
2015090384.tif 000006
【図５】
2015090384.tif 000007
【図６】
2015090384.tif 000008
【図７】
2015090384.tif 000009
【図８】
2015090384.tif 000010
【図９】
2015090384.tif 000011
【図１０】
2015090384.tif 000012
【図１１】
2015090384.tif 000013
【図１２】
2015090384.tif 000014
【図１３】
2015090384.tif 000015
【図１４】
2015090384.tif 000016
【図１５】
2015090384.tif 000017
【図１６】
2015090384.tif 000018